(57)【要約】移動通信装置（１）は、伝送手段（１６）およびトランスポンダ回路（１７）を有するトランスポンダ・ユニット（１５）を含み、かつアクセサリ・ユニット（ＥＳＩＭ）を収容しており、前記アクセサリ・ユニット（ＥＳＩＭ）は少なくともトランスポンダ・ユニット（１５）のトランスポンダ回路（１７）を備えている。
2004516763.tif 000002
【特許請求の範囲】
【請求項１】
少なくとも一部はワイヤレス通信リンクを介して通信する移動通信装置であって、
通信ステーションとの非接触通信を実現し、かつ伝送手段を有し、さらにトランスポンダ回路を含むトランスポンダ・ユニットを備え、
移動通信装置に着脱可能に接続でき、かつ移動通信装置のアクセサリ手段を含むアクセサリ・ユニットを収容し、
前記アクセサリ・ユニットが少なくともトランスポンダ・ユニットのトランスポンダ回路を備えている、移動通信装置。
【請求項２】
前記伝送手段が移動通信装置内で前記トランスポンダ回路と分離して収容され、２つの伝送手段端子接点を有するものであり、
前記アクセサリ・ユニットが２つの伝送接合接点を有し、前記接点の各々により、それぞれの伝送手段端子接点との電気導電接続を形成できる、請求項１に記載の移動通信装置。
【請求項３】
前記アクセサリ・ユニットが、トランスポンダ・ユニットのトランスポンダ回路を備える拡張加入者識別モジュールにより形成されている、請求項２に記載の移動通信装置。
【請求項４】
前記アクセサリ・ユニットが全体トランスポンダ・ユニットを備えている、請求項１に記載の移動通信装置。
【請求項５】
前記アクセサリ・ユニットがトランスポンダ・ユニットを備える拡張バッテリ・パックにより形成されている、請求項４に記載の移動通信装置。
【請求項６】
前記トランスポンダ・ユニットが、ＩＳＯ  １４．４４３に準拠する非接触通信を実現している、請求項１に記載の移動通信装置。
【請求項７】
移動通信装置のアクセサリ・ユニットであって、
アクセサリ・ユニットが移動通信装置のアクセサリ手段を含み、少なくともトランスポンダ・ユニットのトランスポンダ回路を備えている、アクセサリ・ユニット。
【請求項８】
前記アクセサリ・ユニットが２つの伝送接合接点を有し、前記接点の各々により、トランスポンダ・ユニットの伝送手段のそれぞれの伝送手段端子接点との電気導電接続を形成できる、請求項７に記載のアクセサリ・ユニット。
【請求項９】
前記アクセサリ・ユニットが、トランスポンダ・ユニットのトランスポンダ回路を備える拡張加入者識別モジュールにより形成されている、請求項８に記載のアクセサリ・ユニット。
【請求項１０】
前記アクセサリ・ユニットが、全体トランスポンダ・ユニットを備えている、請求項７に記載のアクセサリ・ユニット。
【請求項１１】
前記アクセサリ・ユニットが、トランスポンダ・ユニットを備えた拡張バッテリ・パックにより形成されている、請求項１０に記載のアクセサリ・ユニット。
【請求項１２】
前記トランスポンダ回路がＩＳＯ  １４．４４３に準拠する非接触通信を実現している、請求項７に記載のアクセサリ・ユニット。
【発明の詳細な説明】
【０００１】
本発明は、少なくとも一部はワイヤレス通信リンクを介して通信し、かつトランスポンダ・ユニットを含む移動通信装置に関する。
【０００２】
本発明はさらに、移動通信装置用のアクセサリ・ユニットに関するものであり、前記アクセサリ・ユニットは移動通信装置用のアクセサリ手段を含む。
【０００３】
最初のパラグラフで定義したタイプの移動通信装置は、例えば特許ＷＯ９９／４１７１４から公知である。公知の移動通信装置では、装置は移動電話の形態を取り、トランスポンダ・ユニットが通信装置内部のカード・ホルダに収容されたカードにより形成されており、前記ユニットは、例えばカードを保持するカード・ホルダのような、別個の手段を装備する必要がある。公知の移動通信電話は少なくとも１つのアクセサリ・ユニットを公知の方法で収容している、ただしこれは前述の特許で言及したものに関連していない。しかし、移動電話メーカの共通の目標は、移動電話の正しい操作に必要なアクセサリ・ユニットである加入者識別モジュール（ＳＩＭ）を含む移動電話のない市場に、このような移動電話を出すことである。このような加入者識別モジュールは移動電話ネット・プロバイダから入手可能であり、アクセサリ・ユニットとして移動電話メーカで販売される移動電話に組み込まれる必要がある。このような加入者識別モジュールは移動電話用のアクセサリ手段としてメモリを含み、そのメモリは加入者識別を表わすデータおよび他のデータを格納できる。さらに、このような移動電話はバッテリ・パックも有し、このバッテリ・パックもまた、アクセサリ手段として少なくとも１つの充電式バッテリを含むアクセサリを形成する。
【０００４】
本発明の目的は、最初のパラグラフで定義したタイプの移動通信装置を改良し、公知の構造に比べて構造が簡単な、またトランスポンダ機能をさらに便利に設定できる移動通信装置を提供することである。
【０００５】
前述の目的を達成するために、本発明による特定の形態は、本発明による移動通信装置において、移動通信装置を以下の方法で特徴付けできる方法で実現する。
【０００６】
移動通信装置は、少なくとも一部はワイヤレス通信リンクを介して通信し、かつトランスポンダ・ユニットを含む。さらに、前記トランスポンダ・ユニットは、通信ステーションとの非接触通信を実現し、伝送手段を有し、トランスポンダ回路を備え、移動通信装置に着脱可能に接続できかつ移動通信装置のアクセサリ手段を含むアクセサリ・ユニットを収容できるものであり、前記アクセサリ・ユニットが少なくともトランスポンダ・ユニットのトランスポンダ回路を備えている。
【０００７】
本発明による方法を装備する結果として、複数の簡単な、小型構造が得られる。なぜなら、トランスポンダ・ユニットのトランスポンダ回路を収容するのに追加スペースを必要としせず、スペースをいずれにしてもアクセサリを収容するのに必要なスペースに利用できる。本発明による方法により、公知の通信装置で必要とされるトランスポンダ・ユニットとして提供されるカードを別個に移動通信装置に取り付ける必要がなくなるだけでなく、それの取付けは同時に、アクセサリ・ユニットを取り付ける結果となり、設定を簡単化することにもなる。
【０００８】
本発明による移動通信装置では、伝送手段をトランスポンダ回路と分離して移動通信装置内に収容できる。アクセサリ・ユニットは少なくとも１つの伝送手段接合接点を備えることができ、その手段により、通信装置内に分離して収容されている伝送手段の伝送手段端子接点で実現する電気接続を形成できる。しかし、伝送手段が、トランスポンダ回路と分離して移動通信装置内に収容されており、かつ２つの伝送手段端子接点を有し、さらにアクセサリ・ユニットが２つの伝送手段接合接点を有し、その接点の各々によりそれぞれの伝送手段端子接点との電気的導電接続を形成できる場合、特に有益であることが実証された。これは、容量性伝送手段および誘導性伝送手段の両方に対し、アクセサリ・ユニット内のトランスポンダのトランスポンダ回路との正しい電気接続を保証する。この点で、アクセサリ・ユニットが拡張された加入者識別モジュール（公知の加入者識別モジュールに対比して、トランスポンダ・ユニットのトランスポンダ回路を含む）で形成される場合に、特に有益であることが実証された。
【０００９】
本発明による移動通信装置では、アクセサリ・ユニットが全体のトランスポンダ・ユニットを含む場合、非常に有益であることが実証された。この構造は伝送手段、例えば伝送コイルをトランスポンダ回路と分離して移動通信装置内に収容する（例えば移動通信装置のハウジングに組み込む）必要がなく、トランスポンダ回路と一緒にアクセサリ・ユニット上に配置できるという利点を有する。この点で、アクセサリ・ユニットが、トランスポンダ回路および伝送手段を含むトランスポンダ・ユニットを備える拡張バッテリ・パックにより形成される場合、特に有益であることが実証された。これに関しては、このような拡張バッテリ・パックは比較的大きい面積を有し、それにより比較的大きい面積を持つ伝送手段が実現できるため、拡張バッテリ・パックは有益であることが判明している。これが特に重要であるのは、伝送手段が伝送コイルにより形成される場合である。なぜなら、このような伝送コイルを用いて得られる範囲は伝送コイルにより囲まれた領域（すなわち、囲まれた領域が大きくなるにつれ大きい範囲が得られる方法で）に依存するからである。
【００１０】
本発明によるアクセサリ・ユニットは移動通信装置のアクセサリ手段を含み、公知のアクセサリ・ユニットに対比して、別に少なくともトランスポンダ・ユニットのトランスポンダ回路を含む。本発明によるこの構造により、本発明によるアクセサリ・ユニットが移動通信装置内に置かれたときに、移動通信装置の正しい動作に必要なアクセサリ手段が移動通信装置内に配置されるだけでなく、さらに、少なくともトランスポンダ・ユニットのトランスポンダ回路が配置され、その結果、手を一度動かすだけでトランすポンダ・ユニットの機能を用いて移動通信装置の機能を拡張することを簡単に達成できる。
【００１１】
本発明によるアクセサリ・ユニットの有利な変更形態は、アクセサリ・ユニットが２つの伝送手段接合接点を有することを特徴とし、その接点の各々が、トランスポンダ回路と分離して移動通信装置内に収容された伝送手段の伝送手段端子接点との電気導電接続の形成を可能にし、そのようなアクセサリ・ユニットが、トランスポンダ・ユニットのトランスポンダ回路を含む拡張加入者識別モジュールにより有利に形成されることを可能にする。
【００１２】
本発明によるアクセサリ・ユニットの別の有利な変更形態は、アクセサリ・ユニットが全体トランスポンダ・ユニットを備える、すなわち、トランスポンダ・ユニットのトランスポンダ回路だけでなく、さらにトランスポンダ回路の伝送手段も備えることを特徴とする。この点に関し、アクセサリ・ユニットが拡張バッテリ・パックにより形成されるとき、それが１つのバッテリ・パックに加えて伝送ユニットを含むことが、特に有利であることが実証された。
【００１３】
本発明の前述の態様および別の態様は以下に述べる実施形態の例から明らかになり、これら例を利用して解明されるであろう。
【００１４】
以下に、図面に示す２つの実施形態により本発明を詳細に説明する。図面は例を示すだけであり、本発明を限定するものではない。
【００１５】
図１は移動通信装置１を示し、この場合は移動電話と呼ばれる形態を取る。公知の方法では、移動電話１少なくとも一部はワイヤレス通信リンクを介して通信を行う。この目的のため、移動電話１は、移動電話１のハウジング３から突出するアンテナ２を有する。移動電話１のハウジング３は第１保持区画部４および第２保持区画部５を有する。第１保持区画部４はバッテリ・パック６を保持する役割を果たす。第２保持区画部５は拡張加入者識別モジュールＥＳＩＭを保持する役割を果たす。
【００１６】
バッテリ・パック６は移動電話１のアクセサリ・ユニットを形成し、そのアクセサリ・ユニットを移動電話１に着脱可能に接続して、バッテリ・パック６を第１保持区画部４内に配置できる。バッテリ・パック６は一列の、図示しない端子接点を有し、その端子接点は、移動電話１の第１保持区画部内に突出する同数の接合接点に結合して、バッテリ・パック６が第１保持区画部４内に配置されたときに電気導電接続を形成する。バッテリ・パック６は所定数の充電式バッテリを含み、そのバッテリの各々は移動電話１のアクセサリ手段を形成する。充電式バッテリは、移動電話１に電力を供給する役割を果たし、充電式バッテリは、移動電話内１のグラウンドを基準として供給電圧Ｖを供給する。供給電圧Ｖはこの供給電圧Ｖを必要とする移動電話内１のすべての部分に供給できる。
【００１７】
拡張加入者識別モジュールＥＳＩＭは、第２保持区画部５内に配置でき、また移動電話１のアクセサリ・ユニットを形成する。拡張加入者識別モジュールＥＳＩＭは、公知であり、また全数で（８）個の端子接点７を有する加入者識別モジュールＳＩＭを含む。これら接点７により、供給電圧Ｖおよびグラウンド電位を加入者識別モジュールＳＩＭに供給できる。特定の別の端子接点７は、図に示される接続手段８に接続され、これの目的は、以下にさらに詳細に述べる。加入者識別モジュールＳＩＭは、メモリ（図示なし）を含み、そのメモリは、移動電話のアクセサリ手段を形成し、かつ加入者識別データＳＩＤＡの格納を目的とし、それに使用される。さらに、メモリは別のユーザ関連データ、例えばユーザ関連電話リストその他を格納できる。
【００１８】
移動電話１のアンテナ２は、アナログ信号処理および第１ディジタル信号ＤＳＩ１処理を実行する役割を持たされる信号処理回路９に接続される。通信モードにおいては、マイクロフォン１０は移動通信装置の移動電話１のユーザによる音声を、伝送されるアナログ信号ＴＡＳＩに変換する。このアナログ信号は次に、信号処理回路９で処理され、そのアンテナ２に供給されて伝送される。それらを受信後、アンテナ２を用いてこのような通信モードで受信された信号をまた、信号処理回路９で処理し、その後受信アナログ信号ＲＡＳＩとしてスピーカ１１に供給して、音声を再現する。
【００１９】
アンテナ２を用いて通信モードで受信された第１ディジタル信号ＤＳＩ１は、図に示すように、信号処理回路９により抽出され、接続手段１２を介して移動通信装置１のマイクロコンピュータ１３に供給される。複数の他の手段および機能に加えて、特にマイクロコンピュータ１３は、第１ディジタル信号ＤＳＩ１処理手段１４を実現する。第１処理手段１４は第１ディジタル信号ＤＳＩ１に含まれる加入者識別データＳＩＤＡを抽出する。処理手段１４は、この目的のための備えられた接続手段８を介して加入者識別モジュールＳＩＭのメモリに接続される。したがって、マイクロコンピュータ１３の助けにより、すなわち処理手段１４により、加入者識別モジュールＳＩＭに格納される加入者識別データＳＩＤＡを接続手段８を介してマイクロコンピュータ１３、すなわち処理手段１４に供給でき、それにより、その後マイクロコンピュータ１３、すなわち処理手段１４が、加入者識別モジュールＳＩＭのメモリから読み出された加入者識別データＳＩＤＡと、受信された第１ディジタル信号ＤＳＩ１から抽出された加入者識別データＳＩＤＡとを比較でき、例えば、比較された加入者識別データＳＩＤＡが一致するときに、通信モードを可能にする。
【００２０】
移動電話１はまた、公知の方法で、図１には示していない通信ステーションと非接触通信を実現するトランスポンダ・ユニット１５を含む。トランスポンダ・ユニット１５は基本的に、図１の鎖線で示す伝送手段１６およびトランスポンダ回路１７から構成される。この場合、伝送手段１６は伝送コイル１６により形成される。公知の方法では、トランスポンダ回路１７は、アナログ信号処理手段１８およびディジタル信号処理手段１９およびメモリ手段２０を含む。アナログ信号処理手段１８は複数の、図１には示されない信号処理ステージ、すなわちクロック信号再生ステージ、復調ステージ、変調ステージ、復号化ステージ、変調ステージ、および符号化ステージを含む。この場合、ディジタル信号処理手段１９は別のマイクロコンピュータにより形成されるが、これは厳密には、必ずしも必要でない。なぜならディジタル信号処理手段１９は代替のいわゆる配線による論理回路により形成できるためである。ディジタル信号処理手段１９は第２ディジタル信号ＤＳＩ２を処理する役割を果たす。メモリ手段２０は、第２ディジタル信号ＤＳＩ２により得られるトランスポンダ・データを格納し、先に得られたトランスポンダ・データを供給する役割を果たす。トランスポンダ・ユニット１５はＩＳＯ  １４．４４３規格に準拠する非接触通信を実現することに留意すべきである。
【００２１】
図１から明らかなように、移動電話１のアクセサリ・ユニットとして移動電話１内に備えられた拡張加入者識別モジュールＥＳＩＭは、トランスポンダ・ユニット１５のトランスポンダ回路１７により形成される。拡張加入者識別モジュールＥＳＩＭの有利な形態では、加入者識別モジュールＳＩＭのメモリおよびトランスポンダ・回路１７が単一集積デバイスにより実現される。
【００２２】
移動電話１では、伝送コイル１６は、移動電話１内でトランスポンダ回路１７と分離して配置される。伝送コイル１６は、移動電話１のハウジング３内に成形され、伝送手段端子接点として２つの伝送コイル端子接点２１および２２を有する。この場合、アクセサリ・ユニットとして備えられた拡張加入者識別モジュールＥＳＩＭは２つの伝送手段接合接点２３および２４を有し、それによりそれぞれの伝送コイル端子接点２１または２２との電気導電接続の形成が可能となる。
【００２３】
このように、移動電話１では、アクセサリ・ユニットが拡張加入者識別モジュールＥＳＩＭにより形成される。前記モジュールＥＳＩＭは従来の加入者識別モジュールＳＩＭに加えてトランスポンダ・ユニット１５のトランスポンダ回路１７を含む。図１に示す移動電話１の場合は、拡張加入者識別モジュールＥＳＩＭを第２保持区画部５内に配置できるだけでなく、代替に従来の加入者識別モジュールＳＩＭを第２保持区画部５内に配置できることに注意すべきである。これは、集積回路で実現した結果、これら２つのモジュールＥＳＩＭとＳＩＭのサイズが同一である理由による。従来の加入者識別モジュールＳＩＭを図１に示す移動電話１内に配置した場合、トランスポンダ機能は利用できなくなる。
【００２４】
図２もまた移動電話１を示す。図２に示す移動電話１では、第２保持区画部５は簡単な加入者識別モジュールＳＩＭを保持する役割を果たす。
【００２５】
図２に示す移動電話１の第１保持区画部４は、図２では示していない簡単なバッテリ・パック（図１参照）を収容できるだけでなく、オプションで、移動電話１のアクセサリ・ユニットとして形成する拡張バッテリ・パック２５も収容できる。この場合、アクセサリ・ユニットとして形成された拡張バッテリ・パック２５は全体トランスポンダ・ユニット１５を備える。このように、拡張バッテリ・パック１５は伝送コイル１６およびトランスポンダ回路１７の両方を含む。拡張バッテリ・パック１５は一列の、図示しない端子接点を有し、その端子接点列は移動電話１の同一数の、図示しない接合接点に結合して、電気導電接続を形成する。これら接合接点のいくつかは、図２に示すバス・システム２６に接続され、さらにマイクロコンピュータ１３に接続されて、これにより、移動電話１のマイクロコンピュータ１３とディジタル信号処理手段１９とトランスポンダ回路１７のメモリ手段２０との間のデータ交換を可能にする。
【００２６】
前述の２つの移動電話１に使用されるトランスポンダ・ユニット１５に関しては、図１の移動電話１のトランスポンダ・ユニット１５はいわゆる能動トランスポンダ・ユニットであり、トランスポンダ・ユニット１５の電源は移動電話１のバッテリ・パック６により供給される。これとは逆に、図２の移動電話１のトランスポンダ・ユニット１５はいわゆる受動トランッスポンダ・ユニットであり、内部の電源は移動電話１が、すなわち拡張バッテリ・パック２５では供給されず、電源は、トランスポンダ・ユニット１５と協働する通信ステーションにより非接触および誘導方法で供給される。これは、トランスポンダ・ユニット１５が、移動電話１の電源の故障の場合にも、理由のいかんを問わず、拡張バッテリ・パック２５から動作を維持する利点を有する。
【００２７】
最後に、本発明は移動電話に限定されず、他の移動通信装置、例えばいわゆるページャまたは個人用情報端末でも有利に利用できることに注意すべきである。
【図面の簡単な説明】
【図１】
本発明の第１実施形態による移動通信装置の関連部分を示す概略ブロック図である。
【図２】
本発明の第２実施形態による移動通信装置の関連部分を、図１と同様の方法で、示す概略ブロック図である。
【国際公開パンフレット】
2004516763.tif 000003
2004516763.tif 000004
2004516763.tif 000005
2004516763.tif 000006
2004516763.tif 000007
2004516763.tif 000008
2004516763.tif 000009
2004516763.tif 000010
2004516763.tif 000011
2004516763.tif 000012
2004516763.tif 000013
2004516763.tif 000014
2004516763.tif 000015
【国際調査報告】
2004516763.tif 000016
2004516763.tif 000017